【手続補正書】
【提出日】平成27年10月26日(2015.10.26)
【手続補正１】
【補正対象書類名】特許請求の範囲
【補正対象項目名】全文
【補正方法】変更
【補正の内容】
【特許請求の範囲】
【請求項１】
支持体および該支持体上に感光層を有する電子写真感光体において、
該感光層が下記式（１）で示される化合物を結晶内に含有するフタロシアニン結晶を含有することを特徴とする電子写真感光体。
【化１】
2013137516.tif 000001
（式（１）中、Ｒ１〜Ｒ１０は、それぞれ独立に、水素原子、ヒドロキシ基、ハロゲン原子、アリールオキシカルボニル基、アシル基、置換もしくは無置換のアルキル基、置換もしくは無置換のアルコキシ基、または置換もしくは無置換のアリールオキシ基を示す。該置換アルキル基の置換基、該置換アルコキシ基の置換基、該置換アリールオキシ基の置換基は、ハロゲン原子、ヒドロキシ基またはアルコキシ基である。ただし、Ｒ１〜Ｒ１０の少なくとも１つは、ヒドロキシ基、アルコキシ基を示す。Ｘ１は、カルボニル基、またはジカルボニル基を示す。）
【請求項２】
前記フタロシアニン結晶が、ヒドロキシガリウムフタロシアニン結晶である請求項１に記載の電子写真感光体。
【請求項３】
前記ヒドロキシガリウムフタロシアニン結晶が、ＣｕＫα線のＸ線回折におけるブラッグ角２θ±０．２°において７．４°および２８．３°にピークを有するヒドロキシガリウムフタロシアニン結晶である請求項２に記載の電子写真感光体。
【請求項４】
フタロシアニン結晶を製造する方法において、
該製造方法が、
溶剤にフタロシアニン結晶と、下記式（１）で示される化合物とを加えて、ミリング処理する工程を有することを特徴とするフタロシアニン結晶の製造方法。
【化２】
2013137516.tif 000002
（式（１）中、Ｒ１〜Ｒ１０は、それぞれ独立に、水素原子、ヒドロキシ基、ハロゲン原子、アリールオキシカルボニル基、アシル基、置換もしくは無置換のアルキル基、置換もしくは無置換のアルコキシ基、または置換もしくは無置換のアリールオキシ基を示す。該置換アルキル基の置換基、該置換アルコキシ基の置換基、該置換アリールオキシ基の置換基は、ハロゲン原子、ヒドロキシ基またはアルコキシ基である。ただし、Ｒ１〜Ｒ１０の少なくとも１つは、ヒドロキシ基、アルコキシ基を示す。Ｘ１は、カルボニル基、またはジカルボニル基を示す。）
【請求項５】
前記溶剤が、アミド系溶剤、およびスルホキシド系溶剤からなる群より選択される少なくとも一種である請求項４に記載のフタロシアニン結晶の製造方法。
【請求項６】
前記溶剤が、Ｎ，Ｎ−ジメチルホルムアミド、Ｎ−メチル−２−ピロリドン、およびジメチルスルホキシドからなる群より選択される少なくとも一種である請求項５に記載のフタロシアニン結晶の製造方法。
【請求項７】
支持体および該支持体上に形成された感光層を有する電子写真感光体を製造する方法において、
該製造方法が、
請求項４〜６のいずれか１項に記載の製造方法でフタロシアニン結晶を製造する工程と、
製造されたフタロシアニン結晶を用いて該感光層を形成する工程
とを有することを特徴とする電子写真感光体の製造方法。
【請求項８】
請求項１〜３のいずれか１項に記載の電子写真感光体と、該電子写真感光体の表面を帯電するための帯電手段、該電子写真感光体の表面に形成された静電潜像をトナーで現像してトナー像を形成するための現像手段、および、該トナー像が転写材に転写された後の該電子写真感光体の表面のトナーを除去するためのクリーニング手段からなる群より選択される少なくとも１つの手段とを一体に支持し、電子写真装置本体に着脱自在であることを特徴とするプロセスカートリッジ。
【請求項９】
請求項１〜３のいずれか１項に記載の電子写真感光体、ならびに、該電子写真感光体の表面を帯電するための帯電手段、帯電された該電子写真感光体の表面に像露光光を照射して静電潜像を形成するための像露光手段、該電子写真感光体の表面に形成された静電潜像をトナーで現像してトナー像を形成するための現像手段、および、該電子写真感光体の表面に形成されたトナー像を転写材に転写するための転写手段を有することを特徴とする電子写真装置。
【請求項１０】
下記式（１）で示される化合物を結晶内に含有することを特徴とするフタロシアニン結晶。
【化３】
2013137516.tif 000003
（式（１）中、Ｒ１〜Ｒ１０は、それぞれ独立に、水素原子、ヒドロキシ基、ハロゲン原子、アリールオキシカルボニル基、アシル基、置換もしくは無置換のアルキル基、置換もしくは無置換のアルコキシ基、または置換もしくは無置換のアリールオキシ基を示す。該置換アルキル基の置換基、該置換アルコキシ基の置換基、該置換アリールオキシ基の置換基は、ハロゲン原子、ヒドロキシ基またはアルコキシ基である。ただし、Ｒ１〜Ｒ１０の少なくとも１つは、ヒドロキシ基、アルコキシ基を示す。Ｘ１は、カルボニル基、またはジカルボニル基を示す。）
【手続補正２】
【補正対象書類名】明細書
【補正対象項目名】００１３
【補正方法】変更
【補正の内容】
【００１３】
本発明者らが検討した結果、下記式（１）で示される化合物を結晶内に含有するフタロシアニン結晶を用いることによって、低温低湿環境下における電子写真感光体の繰り返し使用時の電位変動の抑制に優れた効果を示すことを見出した。
【手続補正３】
【補正対象書類名】明細書
【補正対象項目名】００１４
【補正方法】変更
【補正の内容】
【００１４】
本発明は、支持体および該支持体上に感光層を有する電子写真感光体において、該感光層が下記式（１）で示される化合物を結晶内に含有するフタロシアニン結晶を含有することを特徴とする電子写真感光体である。
【化１】
2013137516.tif 000004
（式（１）中、Ｒ１〜Ｒ１０は、それぞれ独立に、水素原子、ヒドロキシ基、ハロゲン原子、アリールオキシカルボニル基、アシル基、置換もしくは無置換のアルキル基、置換もしくは無置換のアルコキシ基、または置換もしくは無置換のアリールオキシ基を示す。該置換アルキル基の置換基、該置換アルコキシ基の置換基、該置換アリールオキシ基の置換基は、ハロゲン原子、ヒドロキシ基またはアルコキシ基である。ただし、Ｒ１〜Ｒ１０の少なくとも１つは、ヒドロキシ基、アルコキシ基を示す。Ｘ１は、カルボニル基、またはジカルボニル基を示す。）
【手続補正４】
【補正対象書類名】明細書
【補正対象項目名】００１５
【補正方法】変更
【補正の内容】
【００１５】
また、本発明はフタロシアニン結晶を製造する方法において、
該製造方法が
溶剤にフタロシアニン結晶と、下記式（１）で示される化合物とを加えて、ミリング処理する工程を有することを特徴とするフタロシアニン結晶の製造方法である。
【化１】
2013137516.tif 000005
（式（１）中、Ｒ１〜Ｒ１０は、それぞれ独立に、水素原子、ヒドロキシ基、ハロゲン原子、アリールオキシカルボニル基、アシル基、置換もしくは無置換のアルキル基、置換もしくは無置換のアルコキシ基、または置換もしくは無置換のアリールオキシ基を示す。該置換アルキル基の置換基、該置換アルコキシ基の置換基、該置換アリールオキシ基の置換基は、ハロゲン原子、ヒドロキシ基またはアルコキシ基である。ただし、Ｒ１〜Ｒ１０の少なくとも１つは、ヒドロキシ基、アルコキシ基を示す。Ｘ１は、カルボニル基、またはジカルボニル基を示す。）
【手続補正５】
【補正対象書類名】明細書
【補正対象項目名】００１９
【補正方法】変更
【補正の内容】
【００１９】
また、本発明は下記式（１）で示される化合物を結晶内に含有するフタロシアニン結晶である。
【化１】
2013137516.tif 000006
（式（１）中、Ｒ１〜Ｒ１０は、それぞれ独立に、水素原子、ヒドロキシ基、ハロゲン原子、アリールオキシカルボニル基、アシル基、置換もしくは無置換のアルキル基、置換もしくは無置換のアルコキシ基、または置換もしくは無置換のアリールオキシ基を示す。該置換アルキル基の置換基、該置換アルコキシ基の置換基、該置換アリールオキシ基の置換基は、ハロゲン原子、ヒドロキシ基またはアルコキシ基である。ただし、Ｒ１〜Ｒ１０の少なくとも１つは、ヒドロキシ基、アルコキシ基を示す。Ｘ１は、カルボニル基、またはジカルボニル基を示す。）